(57)【要約】  被検者の体表面にセンサ部を接触させることで、被検者の体内の水分量を測定する体内水分計であって、センサ部の接触面に配され、被検者の体表面の静電容量を測定することにより水分量を検出する水分量検出部と、水分量検出部により検出された水分量と、被検者の体格指数とに基づいて、被検者の栄養状態を判定する判定部と、判定部により判定された栄養状態を通知する通知部と、を備える。
2014027373.tif 000002
【特許請求の範囲】
【請求項１】
被検者の体表面にセンサ部を接触させることで、前記被検者の体内の水分量を測定する体内水分計であって、
前記センサ部の接触面に配され、前記被検者の体表面の静電容量を測定することにより前記水分量を検出する水分量検出手段と、
前記水分量検出手段により検出された水分量と、前記被検者の体格指数とに基づいて、前記被検者の栄養状態を判定する判定手段と、
前記判定手段により判定された栄養状態を通知する通知手段と、
を備えることを特徴とする体内水分計。
【請求項２】
前記判定手段は、前記水分量検出手段により検出された水分量が所定値未満であって前記被検者の体格指数が所定値未満である場合、前記被検者を低栄養状態であると判定することを特徴とする請求項１に記載の体内水分計。
【請求項３】
前記判定手段は、前記水分量検出手段により検出された水分量が所定値未満であって前記被検者の体格指数が所定値以上である場合、前記被検者を低栄養状態の可能性があると判定することを特徴とする請求項１または２に記載の体内水分計。
【請求項４】
前記判定手段は、前記水分量検出手段により検出された水分量が所定値以上である場合、前記被検者を非低栄養状態であると判定することを特徴とする請求項１乃至３の何れか１項に記載の体内水分計。
【請求項５】
前記通知手段は、前記判定手段により判定された栄養状態に対応する表示形態を表示部に表示することによって、前記栄養状態を通知することを特徴とする請求項１乃至４の何れか１項に記載の体内水分計。
【請求項６】
前記被検者の身長および体重の情報の入力を受け付ける入力手段と、
前記身長および体重の情報に基づいて前記被検者の体格指数を算出する算出手段と、をさらに備え、
前記判定手段は、前記水分量検出手段により検出された水分量と、前記算出手段により算出された前記被検者の体格指数とに基づいて、前記被検者の栄養状態を判定することを特徴とする請求項１乃至５の何れか１項に記載の体内水分計。
【請求項７】
前記体格指数は、ボディマス指数（ＢＭＩ）であることを特徴とする請求項１乃至６の何れか１項に記載の体内水分計。
【請求項８】
被検者の体表面にセンサ部を接触させることで、前記被検者の体内の水分量を測定する体内水分計の制御方法であって、
前記センサ部の接触面に配され、前記被検者の体表面の静電容量を測定することにより前記水分量を検出する水分量検出工程と、
前記水分量検出工程により検出された水分量と、前記被検者の体格指数とに基づいて、前記被検者の栄養状態を判定する判定工程と、
前記判定工程により判定された栄養状態を通知する通知工程と、
を有することを特徴とする体内水分計の制御方法。
【請求項９】
請求項８に記載の体内水分計の制御方法の各工程をコンピュータに実行させるためのプログラムが記憶された記憶媒体
【発明の詳細な説明】
【技術分野】
【０００１】
本発明は、被検者の生体内の水分量を測定する体内水分計、体内水分計の制御方法、および記憶媒体に関し、特に、体内水分計を用いて被検者の低栄養状態を検出する技術に関する。
【背景技術】
【０００２】
被検者の生体内の水分量を測定することは重要である。生体における脱水症状は、生体内の水分が減少する病態であり、発汗や体温上昇により多くの水分が体内から体外に排出される運動時や気温の高い時に多く発現する。特に、高齢者の場合、生体の水分保持能力自体が低下しているため、一般健常者と比較して脱水症状を起こし易い。【０００３】
通常、生体内の水分が体重の３％以上失われた時点で体温調整の障害が起こると言われている。体温調整の障害が起こり体温が上昇すると、生体内の更なる水分の減少を引き起こすため悪循環に陥り、遂には熱中症と称される病態に至ることとなる。熱中症には、熱痙攣、熱疲労、熱射病等の病態があり、時には全身の臓器障害が起こることもある。このようなことから、熱中症に至る危険を未然に回避するためには、生体内の水分量を的確に把握しておくことが重要となってくる。【０００４】
特許文献１には、被検者の腋下に挟んで生体内の水分量を測定する水分計が開示されている。【０００５】
一方で、比較的病状が安定している患者に対して長期間の入院医療を提供している慢性期病院においては、患者の栄養状態を管理し、低栄養状態とならないように注意する必要がある。低栄養状態とは、主にタンパク質、糖質、脂質等が不足した状態である。低栄養状態になると、体重の減少、運動機能の低下、タンパク質不足による皮膚の異常、免疫力の低下による感染症の発症など様々な症状が起こる。【０００６】
一般に、身体の栄養状態の過不足は、血液中を流れるタンパク質の一種である血清アルブミンの値の基準値を用いて評価され、基準値以下の場合低栄養状態であると判定できる。成人の基準値は３．５ｇ／ｄｌであって、血液１００ｍｌ中３．５ｇである。血清アルブミンの値は加齢に伴い減少する傾向があり、また高齢者の場合は痩せている人が多いため、高齢者の場合の基準値は２．５ｇ／ｄｌとなる。
【先行技術文献】
【特許文献】
【０００７】
【特許文献１】特開２０１２−７１０５５号公報
【発明の概要】
【発明が解決しようとする課題】
【０００８】
しかしながら、病院では、経費削減のために、イベントが無い限り血液検査を実施しないことも多い。その一方で、病院の栄養士としては、患者が低栄養であれば直ちに摂取カロリーを増加させる必要があるため、患者の栄養状態を常に把握しておきたいというニーズがある。また特許文献１に記載の水分計では生体の水分量を測定することはできても、被検者の低栄養状態を検出することはできない。【０００９】
上記の課題に鑑み、本発明は、血液検査を実施することなく、体内水分計を用いて被検者の栄養状態を容易に検出する技術を提供することを目的とする。
【課題を解決するための手段】
【００１０】
上記の目的を達成する本発明に係る体内水分計は、
被検者の体表面にセンサ部を接触させることで、前記被検者の体内の水分量を測定する体内水分計であって、
前記センサ部の接触面に配され、前記被検者の体表面の静電容量を測定することにより前記水分量を検出する水分量検出手段と、
前記水分量検出手段により検出された水分量と、前記被検者の体格指数とに基づいて、前記被検者の栄養状態を判定する判定手段と、
前記判定手段により判定された栄養状態を通知する通知手段と、
を備えることを特徴とする体内水分計。
【発明の効果】
【００１１】
本発明によれば、血液検査を実施することなく、体内水分計を用いて被検者の栄養状態を容易に検出することが可能になる。【００１２】
本発明のその他の特徴及び利点は、添付図面を参照とした以下の説明により明らかになるであろう。なお、添付図面においては、同じ若しくは同様の構成には、同じ参照番号を付している。
【図面の簡単な説明】
【００１３】
添付図面は明細書に含まれ、その一部を構成し、本発明の実施の形態を示し、その記述と共に本発明の原理を説明するために用いられる。
【図１】本発明の一実施形態にかかる体内水分計の外観構成を示す図である。
【図２】本発明の一実施形態にかかる体内水分計のセンサ部の接触面の構成を説明するための図である。
【図３】本発明の一実施形態にかかる体内水分計の機能構成を示す図である。
【図４】本発明の一実施形態にかかる体内水分計の測定回路を説明するための図である。
【図５】体内水分計により測定された水分量および、被検者の体格指数に対する、被検者の栄養状態の指標となる血清アルブミンの値の測定結果を示す図である。
【図６Ａ】本発明の一実施形態にかかる体内水分計による栄養状態判定処理の流れを示すフローチャートである。
【図６Ｂ】本発明の一実施形態にかかる体内水分計による栄養状態判定処理の流れを示すフローチャートである。
【図７】本発明の一実施形態にかかる測定情報のデータ構成を示す図である。
【図８】本発明の一実施形態にかかる水分量および被検者の体格指数ごとの栄養状態と、当該栄養状態を示す絵文字表現の一例を示す図である。
【発明を実施するための形態】
【００１４】
以下、本発明の実施形態について図面を参照しながら説明する。なお、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
＜１．体内水分計の外観構成＞
図１は、本実施形態に係る体内水分計１００の外観構成の一例を示す図である。体内水分計１００は、被検者の体表面である腋窩の皮膚にセンサ部１２１を接触させ、センサ部１２１において供給した電気信号に応じた物理量を検出することで被検者の体内の水分量を検出する。本実施形態に係る体内水分計１００では、当該物理量（生体内の水分に関するデータ）として被検者の静電容量を測定することにより、腋窩の皮膚の湿り具合を検出し、体内の水分量を算出する。
【００１６】
図１に示すように、体内水分計１００は、本体部１１０と挿入部１２０とを備える。本体部１１０は、上面１１４、下面１１５、側面１１６、１１７がそれぞれ長軸方向（不図示）に略平行に形成されており、全体として、直線状に形成されている。また、本体部１１０の筐体表面には、各種ユーザインターフェースが配置され、筐体内部には体内の水分量を算出するための電子回路が収納されている。
【００１７】
図１の例では、ユーザインターフェースとして、電源スイッチ１１１、表示部１１２、及び入力部１５０が示されている。電源スイッチ１１１は、本体部１１０の後端面１１３の凹部に配されている。このように凹部に電源スイッチ１１１を配する構成とすることで、電源スイッチ１１１の誤操作を防ぐことができる。なお、電源スイッチ１１１がオンされると後述の電源部３１１（図３）から体内水分計１００の各部への電源供給が開始され、体内水分計１００は動作状態となる。
【００１８】
表示部１１２は、本体部１１０の側面１１７上において、長軸方向のやや前方側に配されている。これは、体内水分計１００を用いて被検者の体内水分量を測定するにあたり、測定者が把持領域１１８を把持した場合であっても、測定者の把持した手で表示部１１２が完全に覆われることがないようにするためである（把持した状態でも測定結果が視認できるようにするためである）。
【００１９】
表示部１１２には、今回の水分量の測定結果１３１が表示される。また、参考として前回の測定結果１３２もあわせて表示される。また、表示部１１２には、被検者の栄養状態を示す情報として、低栄養状態に対応する表示形態、低栄養の可能性があることを示す表示形態、あるいは非低栄養状態に対応する表示形態が表示される。測定された水分量と、被検者の栄養状態を示す情報とは、同時に表示してもよいし、順次表示する構成としてもよい。その他、被検者に関する情報を表示してもよい。詳細については、図８を参照して後述する。
【００２０】
さらに、電池表示部１３３には、電池（図３の電源部３１１）の残量が表示される。また、無効な測定結果が得られた場合や測定エラーが検出された場合には、表示部１１２に“Ｅ”が表示され、その旨がユーザに報知される。なお、表示部１１２に表示される文字等は、本体部１１０の上面１１４側を上とし、下面１１５側を下として、表示されるものとする。
【００２１】
体内水分計１００の挿入部１２０は、上面１２４及び下面１２５が曲面形状を有しており、本体部１１０に対して、全体として、下向きに緩やかに湾曲している。挿入部１２０の先端面１２２には、センサ部１２１がスライド可能に保持されている。
【００２２】
センサ部１２１は、先端面１２２に略平行な接触面１２３を有しており、センサ部１２１の皮膚への密着を保証する上での押圧を確保するため、不図示のばねにより、矢印１４１ｂの方向へ付勢されている（たとえば１５０ｇｆ程度の付勢力）。そして、センサ部１２１の接触面１２３全体が被検者の腋窩の皮膚に均等に押し当てられ、かつ、センサ部１２１が矢印１４１ａの方向（先端面１２２と略直交する方向、すなわち先端面１２２の法線方向）に所定量（例えば１ｍｍ〜１０ｍｍ、本実施形態では３ｍｍ）スライドすると、測定が開始されるよう構成されている（以下、矢印１４１ａの方向をスライド方向と称す）。
【００２３】
具体的には、ユーザが電源スイッチ１１１をオンして体内水分計１００を動作状態とした後、センサ部１２１の接触面１２３全体が被検者の腋窩に均等に所定負荷（例えば２０ｇｆ〜２００ｇｆ、さらに好ましくは１００ｇｆ〜１９０ｇｆ、本実施形態では１５０ｇｆ）で押し当てられたことが検知されると、体内水分量の測定が開始される。あるいは、ユーザが電源スイッチ１１１をオンして体内水分計１００を動作状態とした後、電源部３１１からの電力供給が開始されると同時にオン状態になる。制御部３０１は、センサ部１２１が矢印１４１ａの方向へ所定量以上押されると体内水分量の測定が開始される。
【００２４】
このような仕組みにより、測定時におけるセンサ部１２１の接触面１２３の腋窩への密着の程度を一定にすることができる。なお、センサ部１２１の接触面１２３の詳細構成は後述するものとする。
【００２５】
体内水分計１００は、把持領域１１８の表面上に入力部１５０を備えている。入力部１５０は、決定ボタン１５１と、複数の操作ボタン１５２とを備えている。ユーザは、入力部１５０を操作して、被検者に関する情報（身長・体重の情報など）を入力することができる。ユーザは、例えば複数の操作ボタン１５２を操作して、表示部１１２に表示される内容を確認しながら入力すべき情報（例えば、被検者の身長）を選択し、決定ボタン１５１を押下して、身長を入力することを決定する。
【００２６】
そして、ユーザは、複数の操作ボタン１５２を操作して、表示部１１２に表示される内容を確認しながら被検者の身長が表示されるまで複数回操作ボタン１５２の押下を継続する。例えば、入力すべき情報として身長が決定されると、表示部１１２には、規定値として所定の身長（例えば、身長１６０ｃｍ）が表示される。そして、１回操作ボタン１５２を押下するごとに１ｃｍ単位で、あるいは１ｍｍ単位で、表示されている身長の値が増加または減少するように構成され、所望の身長が表示された段階で、ユーザは決定ボタン１５１を押下してその身長に決定する。
【００２７】
次に、体重についても同様の操作を行い、被検者の身長・体重といった情報の入力を受け付ける。なお、入力部１５０が配される位置は、図１に示される位置に限定されるものではなく、体内水分計１００の表面上の任意の位置であってもよい。
【００２８】
また、体内水分計１００が取得する被検者の体重・身長といった情報は、入力部１５０を用いた直接入力による取得だけでなく、不図示の外部装置（例えば、パーソナル・コンピュータ）等から当該外部装置に入力された被検者の情報を無線により取得してもよい。その場合、体内水分計１００は無線通信部をさらに備えることになる。
【００２９】
＜２．体内水分計のセンサ部の接触面の詳細構成＞
次に、センサ部１２１の接触面１２３の詳細構成について図２を用いて説明する。図２に示されるように、本実施形態に係る体内水分計１００のセンサ部１２１の接触面１２３には、略矩形の水分量検出部２００が配されている。
【００３０】
水分量検出部２００は、プリント基板２１０上に、櫛形電極２２０と櫛形電極２２１とが、それぞれの櫛歯が互い違いに並ぶように配置されることで形成されている。なお、図２の例では、櫛形電極２２０及び２２１はそれぞれ、櫛歯が９本配された構成となっているが、本発明はこれに限定されず、４本から１６本の間であればよく、好適には、１０本であることが望ましい。
【００３１】
＜３．体内水分計の機能構成＞
図３は、本実施形態に係る体内水分計１００の機能構成例を示すブロック図である。図３において、制御部３０１は、ＣＰＵ３０２、メモリ３０３を有し、ＣＰＵ３０２はメモリ３０３（記憶媒体）に格納されているプログラムを読み出して実行することにより、体内水分計１００における種々の制御を実行する。
【００３２】
例えば、ＣＰＵ３０２は、表示部１１２の表示制御、ブザー３２２やＬＥＤランプ３２３の駆動制御、体内水分量の測定（本実施形態では静電容量測定）などを実行する。メモリ３０３は、不揮発性メモリと揮発性メモリとを含み、不揮発性メモリはプログラムメモリとして、揮発性メモリはＣＰＵ３０２の作業メモリとして利用される。
【００３３】
電源部３１１は、交換が可能なバッテリ、或いは充電が可能なバッテリを有しており、体内水分計１００の各部へ電源を供給する。電圧レギュレータ３１２は、制御部３０１等へ一定電圧（例えば、２．３Ｖ）を供給する。電池残量検出部３１３は、電源部３１１から供給される電圧値に基づいて、電池の残量を検出し、その検出結果を制御部３０１に通知する。制御部３０１は、電池残量検出部３１３からの電池残量検出信号に基づいて、電池表示部１３３の表示を制御する。
【００３４】
電源スイッチ１１１が押下されると、各部への電源部３１１からの電力供給が開始される。そして、制御部３０１は、電源スイッチ１１１のユーザによる押下が１秒以上継続したことを検出すると、電源部３１１からの各部への電源供給を維持させ、体内水分計１００を動作状態とする。測定スイッチ３１４は、上述したようにセンサ部１２１が矢印１４１ａの方向へ所定量以上押されると水分量を測定する（つまり、押圧状態を検出する押圧検出部として機能する）。なお、電源部３１１の消耗を防止するために、体内水分計１００が動作状態になってから所定時間（例えば２分）経過しても水分量の測定が開始されない場合は、制御部３０１は自動的に体内水分計１００を電源オフの状態へと移行させる。
【００３５】
測定回路３２１は、水分量検出部２００と接続され、静電容量を測定する。図４は、測定回路３２１および水分量検出部２００の構成例を示す図である。図４に示すように、インバータ４０１、４０２、抵抗４０３、４０４、被検者容量４１０によりＣＲ発振回路が形成される。被検者容量４１０によって出力信号４０５の発振周波数が変化するので、制御部３０１は、出力信号４０５の周波数を計測することにより、被検者容量４１０を算出する。
【００３６】
図３において、表示部１１２は、図１で説明したような表示を制御部３０１の制御下で行う。ブザー３２２は、体内水分量の測定を開始した際や測定が完了した際に鳴動し、測定の開始や完了をユーザに報知する。ＬＥＤランプ３２３もブザー３２２と同様の報知を行う。すなわち、ＬＥＤランプ３２３は、体内水分量の測定を開始した際や、測定が完了した際に点灯し、測定の開始や完了をユーザに報知する。計時部３２４は、電源がオフの状態であっても電源部３１１からの電源供給を受けて動作し、動作状態においては時刻を制御部３０１に通知する。
【００３７】
＜４．体内水分計により測定された水分量と、被検者の肥満度を示す体格指数と、被検者の栄養状態との関係＞
図５は、体内水分計により測定された水分量および被検者の体格指数に対する、被検者の栄養状態の指標となる血清アルブミンの値の測定結果である。被検者の肥満度を示す体格指数の例として、ＢＭＩ（ボディマス指数；Body Mass Index）がある。ＢＭＩとは、体重（ｋｇ）／身長（ｍ）／身長（ｍ）で求めることができる。ＢＭＩ値が２２の場合が標準体重であり、２５以上の場合が肥満、１８．５未満である場合が低体重を表している。
【００３８】
図５に示されるように、水分量が所定値（例えば、３５％）以上の場合、血清アルブミンの値はＢＭＩの値に関わらず、約３．２ｇ／ｄｌ〜３．３ｇ／ｄｌの間に収まっており、高齢者の低栄養状態の基準値２．５ｇ／ｄｌよりも十分大きな値を有している。すなわち、水分量が所定値（３５％）以上の場合、被検者はＢＭＩの値に関わらず非低栄養状態であると判定できる。
【００３９】
また、水分量が３５％未満であって、ＢＭＩが１８．５未満の場合、血清アルブミンの値は２．４ｇ／ｄｌとなっており、被検者は低栄養状態であると判定できる。さらに、水分量が３５％未満であって、ＢＭＩが２０より大きい場合、血清アルブミンの値は３．２ｇ／ｄｌとなっており、被検者は非低栄養状態であるといえる。水分量が３５％未満であって、ＢＭＩが１８．５以上２０以下である場合、血清アルブミンの値は２．４ｇ／ｄｌ〜３．１ｇ／ｄｌの間の収まっており基準値に近い値をとるため、被検者は低栄養状態の可能性があると判定できる。
【００４０】
なお、ここでは被検者の肥満度を示す体格指数の例としてＢＭＩ値を用いているが、他の体格指数を用いてもよい。例えば、身長と体重から算出されるローレル指数、リビー指数、ポンデラル指数を用いてもよい。
【００４１】
なお、ここでは被検者として主に高齢者を想定している。なぜなら、慢性期病院等の入院患者には高齢者が多く、また健康な若年者が低栄養状態になることはあまり想定し難いからである。しかしながら、本実施形態は高齢者に限定されるものではなく、低栄養状態の基準値を３．５ｇ／ｄｌとして、若年者を対象としてもよい。
【００４２】
＜５．体内水分計の動作＞
図６Ａおよび図６Ｂのフローチャートを参照して、図５の関係を考慮した本実施形態に係る体内水分計１００の動作（栄養状態判定処理）を説明する。まず電源スイッチ１１１が押下され、各部への電源部３１１からの電源の供給が開始されたことに応じて、以下の処理が開始する。
【００４３】
ステップＳ６０１において、制御部３０１は、被検者の身長、体重を含む情報を取得する。被検者の身長、体重を含む情報は、入力部１５０を介して、ユーザからの直接入力により受け付けてもよいし、外部装置から無線により取得してもよい。
【００４４】
ステップＳ６０２において、制御部３０１は、接触状態判定処理を実行し、被検者の腋窩の体表面に対するセンサ部１２１の接触面１２３の接触状態を監視する。水分量検出部２００が所定量以上押下された場合、センサ部１２１の接触面１２３の接触状態が、測定開始の条件を満たしていると判定することができる。
【００４５】
ステップＳ６０３において、制御部３０１は、測定開始の条件を満たしているか否かを判定する。測定開始の条件を満たしていると判定された場合（Ｓ６０３；ＹＥＳ）、ステップＳ６０４へと進む。一方、所定の条件を満たしていないと判定された場合（Ｓ６０３；ＹＥＳ）、ステップＳ６０２へと戻る。
【００４６】
ステップＳ６０４において、制御部３０１は、センサ部１２１の接触面１２３の接触状態が所定の条件を満たしたため、測定を開始することをユーザに報知する。
【００４７】
ステップＳ６０５において、制御部３０１は、測定回路３２１からの出力信号４０５の発振周波数の計測を開始することにより測定を開始する。開始された発振周波数の計測が完了すると、ステップＳ６０６へ進む。
【００４８】
ステップＳ６０６において、制御部３０１は、測定が完了したことをユーザに報知する。ステップＳ６０７において、制御部３０１は、ステップＳ６０５で計測された出力信号４０５の発振周波数に基づいて、被検者の体内水分量を算出する。
【００４９】
ステップＳ６０８において、制御部３０１は、ステップＳ６０７で算出された体内水分量が所定値未満であるか否かを判定する。この場合の所定値としては、例えば、水を１００％、空気を０％とした時の３５％に相当する値が望ましい。体内水分量が所定値未満であると判定された場合（Ｓ６０８；ＹＥＳ）、ステップＳ６０９へ進む。一方、体内水分量が所定値以上であると判定された場合（Ｓ６０８；ＮＯ）、ステップＳ６１２へ進む。
【００５０】
ステップＳ６０９において、制御部３０１は、ステップＳ６０１で取得した身長、体重の情報に基づいてＢＭＩ値を算出し、当該ＢＭＩ値が所定値未満であるか否かを判定する。この場合の所定値としては、１８．５とする。ＢＭＩ値が所定値未満であると判定された場合（Ｓ６０９；ＹＥＳ）、ステップＳ６１０へ進む。一方、ＢＭＩ値が所定値以上であると判定された場合（Ｓ６０９；ＮＯ）、ステップＳ６１１へ進む。
【００５１】
ステップＳ６１０において、制御部３０１は、被検者が低栄養状態であると判定する。ステップＳ６１１において、制御部３０１は、被検者が低栄養状態の可能性があると判定する。ステップＳ６１２において、制御部３０１は、被検者が非低栄養状態であると判定する。
【００５２】
ステップＳ６１３において、制御部３０１は、今回の測定情報（算出されたＢＭＩ値、体内水分量、判定された栄養状態等）をメモリ３０３に格納する。
【００５３】
ここで図７は、メモリ３０３に格納される測定情報のデータ構成の一例を示す図である。図７において、測定値７０１は、今回の測定により算出された体内水分量であるが、算出されたＢＭＩ値を併せて格納してもよい。判定結果７０２は、今回の測定により算出された体内水分量およびＢＭＩ値に対して、ステップＳ６１０−Ｓ６１２において判定された、被検者の栄養状態を示す情報である。具体的には、低栄養状態、低栄養状態の可能性あり、非低栄養状態、の何れかである。測定時刻７０３は、今回の測定において計時部３２４から通知された時刻を示す情報である。測定時刻７０３としては、例えば、ステップＳ６０５において発振周波数の計測を実行した時点で計時部３２４から通知されている時刻とすることができる。
【００５４】
ステップＳ６１４において、制御部３０１は、今回の測定により判定された判定結果に応じた栄養状態を示す情報を表示部１１２に表示する。なお、この際に、今回の測定により算出された体内水分量や、ＢＭＩ値を併せて表示してもよい。
【００５５】
ここで図８は、水分量とＢＭＩ値ごとの栄養状態と、当該栄養状態を示す絵文字表現の一例を示す図である。例えば測定された水分量が所定値未満（図８の例では３５％未満）であり、ＢＭＩ値が所定値以上（図８の例では１８．５以上）の場合、低栄養状態の可能性があると判定されるため、その旨や、そのことを示す表示形態８０３を表示部１１２に表示する。
【００５６】
また、測定された水分量が所定値未満（図８の例では３５％未満）であり、ＢＭＩ値が所定値未満（図８の例では１８．５未満）の場合、低栄養状態であると判定されるため、その旨や、そのことを示す表示形態８０４を表示部１１２に表示する。
【００５７】
一方、測定された水分量が所定値以上（図８の例では３５％以上）である場合、非低栄養状態であると判定されるため、その旨や、そのことを示す表示形態８０１、８０２を表示部１１２に表示する。
【００５８】
なお、表示形態は、図８に示されるような顔文字の表示形態に限定されるものではなく、他の表示形態を用いてもよい。例えば、判定された栄養状態ごとに、赤（低栄養状態）、黄色（低栄養状態の可能性あり）、青（非低栄養状態）のように異なる色彩で表示してもよい。あるいは、顔文字の表示形態と、色彩の表示形態とを組み合わせてもよい。例えば、表示形態８０１、８０２を青色で表示し、表示形態８０３を黄色で表示し、表示形態８０４を赤色で表示してもよい。
【００５９】
さらには、判定された栄養状態を、エネルギーゲージ形式で表示してもよい。例えば、エネルギーゲージを三段階に区切り、３つ分エネルギーが満たされた状態を非低栄養状態として表示し、２つ分のエネルギーが満たされた状態を低栄養状態の可能性ありとして表示し、１つ分のエネルギーしか満たされていない状態を低栄養状態として表示してもよい。また、判定された各栄養状態に対応する音声、メロディ、ランプの点滅等を用いてユーザへ通知してもよい。
【００６０】
このように、判定された栄養状態に応じて、各栄養状態を区別してユーザへ通知することができればどのような形態を用いてもよい。以上で図６Ａおよび図６Ｂのフローチャートの各処理が終了する。
【００６１】
以上説明したように、本実施形態によれば、水分計を用いて算出した被検者の体内水分量と、取得した身長・体重に基づいて算出されたＢＭＩ値とに基づいて、被検者の栄養状態を簡易に判定することができる。そのため、被検者の栄養状態を把握したい場合にその都度血液検査を実施する必要がなく、また、水分計を用いているため、併せて被検者の脱水状態も判定することができ、被検者の健康状態をより適切に監視することが可能となる。
【００６２】
本発明は上記実施の形態に制限されるものではなく、本発明の精神及び範囲から離脱することなく、様々な変更及び変形が可能である。従って、本発明の範囲を公にするために、以下の請求項を添付する。 
【図１】
2014027373.tif 000003
【図２】
2014027373.tif 000004
【図３】
2014027373.tif 000005
【図４】
2014027373.tif 000006
【図５】
2014027373.tif 000007
【図６Ａ】
2014027373.tif 000008
【図６Ｂ】
2014027373.tif 000009
【図７】
2014027373.tif 000010
【図８】
2014027373.tif 000011
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
被検者の体表面にセンサ部を接触させることで、前記被検者の体内の水分量を測定する体内水分計であって、
前記センサ部の接触面に配され、前記被検者の体表面の静電容量を測定することにより前記水分量を検出する水分量検出手段と、
前記水分量検出手段により検出された水分量と、前記被検者の体格指数とに基づいて、前記被検者の栄養状態を判定する判定手段と、
前記判定手段により判定された栄養状態を通知する通知手段と、
を備え、
前記判定手段は、前記水分量検出手段により検出された水分量が所定値未満であって前記被検者の体格指数が所定値未満である場合、前記被検者を低栄養状態であると判定することを特徴とする体内水分計。
【請求項２】
被検者の体表面にセンサ部を接触させることで、前記被検者の体内の水分量を測定する体内水分計であって、
前記センサ部の接触面に配され、前記被検者の体表面の静電容量を測定することにより前記水分量を検出する水分量検出手段と、
前記水分量検出手段により検出された水分量と、前記被検者の体格指数とに基づいて、前記被検者の栄養状態を判定する判定手段と、
前記判定手段により判定された栄養状態を通知する通知手段と、
を備え、
前記判定手段は、前記水分量検出手段により検出された水分量が所定値未満であって前記被検者の体格指数が所定値以上である場合、前記被検者を低栄養状態の可能性があると判定することを特徴とする体内水分計。
【請求項３】
被検者の体表面にセンサ部を接触させることで、前記被検者の体内の水分量を測定する体内水分計であって、
前記センサ部の接触面に配され、前記被検者の体表面の静電容量を測定することにより前記水分量を検出する水分量検出手段と、
前記水分量検出手段により検出された水分量と、前記被検者の体格指数とに基づいて、前記被検者の栄養状態を判定する判定手段と、
前記判定手段により判定された栄養状態を通知する通知手段と、
を備え、
前記判定手段は、前記水分量検出手段により検出された水分量が所定値以上である場合、前記被検者を非低栄養状態であると判定することを特徴とする体内水分計。
【請求項４】
前記通知手段は、前記判定手段により判定された栄養状態に対応する表示形態を表示部に表示することによって、前記栄養状態を通知することを特徴とする請求項１乃至３の何れか１項に記載の体内水分計。
【請求項５】
前記被検者の身長および体重の情報の入力を受け付ける入力手段と、
前記身長および体重の情報に基づいて前記被検者の体格指数を算出する算出手段と、をさらに備え、
前記判定手段は、前記水分量検出手段により検出された水分量と、前記算出手段により算出された前記被検者の体格指数とに基づいて、前記被検者の栄養状態を判定することを特徴とする請求項１乃至４の何れか１項に記載の体内水分計。
【請求項６】
前記体格指数は、ボディマス指数（ＢＭＩ）であることを特徴とする請求項１乃至５の何れか１項に記載の体内水分計。
【請求項７】
被検者の体表面にセンサ部を接触させることで、前記被検者の体内の水分量を測定する体内水分計の制御方法であって、
前記センサ部の接触面に配され、前記被検者の体表面の静電容量を測定することにより前記水分量を検出する水分量検出工程と、
前記水分量検出工程により検出された水分量と、前記被検者の体格指数とに基づいて、前記被検者の栄養状態を判定する判定工程と、
前記判定工程により判定された栄養状態を通知する通知工程と、
を有し、
前記判定工程では、前記水分量検出工程により検出された水分量が所定値未満であって前記被検者の体格指数が所定値未満である場合、前記被検者を低栄養状態であると判定することを特徴とする体内水分計の制御方法。
【請求項８】
被検者の体表面にセンサ部を接触させることで、前記被検者の体内の水分量を測定する体内水分計の制御方法であって、
前記センサ部の接触面に配され、前記被検者の体表面の静電容量を測定することにより前記水分量を検出する水分量検出工程と、
前記水分量検出工程により検出された水分量と、前記被検者の体格指数とに基づいて、前記被検者の栄養状態を判定する判定工程と、
前記判定工程により判定された栄養状態を通知する通知工程と、
を有し、
前記判定工程では、前記水分量検出工程により検出された水分量が所定値未満であって前記被検者の体格指数が所定値以上である場合、前記被検者を低栄養状態の可能性があると判定することを特徴とする体内水分計の制御方法。
【請求項９】
被検者の体表面にセンサ部を接触させることで、前記被検者の体内の水分量を測定する体内水分計の制御方法であって、
前記センサ部の接触面に配され、前記被検者の体表面の静電容量を測定することにより前記水分量を検出する水分量検出工程と、
前記水分量検出工程により検出された水分量と、前記被検者の体格指数とに基づいて、前記被検者の栄養状態を判定する判定工程と、
前記判定工程により判定された栄養状態を通知する通知工程と、
を有し、
前記判定工程では、前記水分量検出工程により検出された水分量が所定値以上である場合、前記被検者を非低栄養状態であると判定することを特徴とする体内水分計の制御方法。
【請求項１０】
請求項７乃至９の何れか１項に記載の体内水分計の制御方法の各工程をコンピュータに実行させるためのプログラムが記憶された記憶媒体。
【手続補正２】
【補正対象書類名】明細書
【補正対象項目名】００１０
【補正方法】変更
【補正の内容】
【００１０】
上記の目的を達成する本発明に係る体内水分計は、
被検者の体表面にセンサ部を接触させることで、前記被検者の体内の水分量を測定する体内水分計であって、
前記センサ部の接触面に配され、前記被検者の体表面の静電容量を測定することにより前記水分量を検出する水分量検出手段と、
前記水分量検出手段により検出された水分量と、前記被検者の体格指数とに基づいて、前記被検者の栄養状態を判定する判定手段と、
前記判定手段により判定された栄養状態を通知する通知手段と、
を備え、
前記判定手段は、前記水分量検出手段により検出された水分量が所定値未満であって前記被検者の体格指数が所定値未満である場合、前記被検者を低栄養状態であると判定することを特徴とする。
【国際調査報告】
2014027373.tif 000012
2014027373.tif 000013
2014027373.tif 000014